(57)【要約】【課題】ストリップ階段を有する住宅の施工方法の簡略化を図ることを目的とする。【解決手段】上下階に渡って斜めに設置されるささら桁２と、このささら桁２の長手方向に所定間隔で設けられた複数の段板支持部３と、この段板支持部３に支持された複数の段板４とを備えたストリップ階段１を有する住宅の施工方法において、保護カバー２４により被覆されたままでささら桁２の上端及び下端を上下階の取付位置に固定する第１の工程と、保護カバー２４により被覆されたままのささら桁２の段板支持部３へ仮設段板７を取り付ける第２の工程と、を備えた。【選択図】図９
2006009360.tif 000002
【特許請求の範囲】
【請求項１】
上下階に渡って斜めに設置されるささら桁と、このささら桁の長手方向に所定間隔で設けられた複数の段板支持部と、この段板支持部に支持された複数の段板とを備えたストリップ階段を有する住宅の施工方法において、
外部からの衝撃から前記ささら桁を保護する保護カバーにより被覆されたままの前記ささら桁の上端及び下端を上下階の取付位置に固定する第１の工程と、
前記保護カバーにより被覆されたままの前記ささら桁の段板支持部へ仮設段板を取り付ける第２の工程と、
を備えることを特徴とするストリップ階段を有する住宅の施工方法。
【請求項２】
前記保護カバーは、ささら桁の段板支持部を挿通する複数の孔部を有し、
前記保護カバーにより前記ささら桁を被覆する際、前記段板支持部を前記孔部に挿通することを特徴とする請求項１に記載のストリップ階段を有する住宅の施工方法。
【請求項３】
前記第２の工程後であって、建物躯体の施工工事の終了後に、前記仮設段板を取り外し、前記保護カバーを取り外したささら桁の段板支持部へ本設段板を取り付ける第３の工程を備えることを特徴とする請求項１又は２に記載のストリップ階段を有する住宅の施工方法。
【請求項４】
前記第３の工程後に、前記段板支持部へ段板支持部カバーを被せる第４の工程を備えることを特徴とする請求項３に記載のストリップ階段を有する住宅の施工方法。
【請求項５】
前記ささら桁は、内側桁部材と外側桁部材とを貼り合わせたものからなり、
最下段の前記段板支持部には、前記内側桁部材に設けられ、前記ささら桁の上側の傾斜面よりも上方に突出した突出部と、前記外側桁部材に設けられ、前記傾斜面よりも下方に切り欠かれた切欠部とが形成され、
第１の工程において、前記切欠部から床面へ垂直にビスを打ち込むことにより、前記ささら桁と床とを固定することを特徴とする請求項１〜４のいずれか一項に記載のストリップ階段を有する住宅の施工方法。
【発明の詳細な説明】
【技術分野】
【０００１】
本発明は、ストリップ階段を有する住宅の施工方法に関する。
【背景技術】
【０００２】
住宅の室内階段として、ストリップ階段が知られている。このストリップ階段は、例えば、上下階に渡って斜めに設置されるささら桁と、このささら桁の長手方向に所定間隔で設けられた段板支持部と、この段板支持部に支持された複数の段板等により構成されている（例えば、特許文献１参照）。
【０００３】
このようなストリップ階段は、居室内の見映えを良くし、通風性または採光性などに優れるため、昨今その需要が高まっている。
【０００４】
ところで、２階建て以上の住宅を施工する際、このストリップ階段を施工時に設置し、施工時における上下階間の昇降に利用すると、ストリップ階段に傷がついてしまうという問題がある。
【０００５】
そこで、上階と下階との間に仮設階段を設置し、躯体が施工された後に仮設階段を取り外し、内装工事等において、本設階段であるストリップ階段を設置する方法がなされていた。
【特許文献１】特開平１１−３０３２１６号公報
【発明の開示】
【発明が解決しようとする課題】
【０００６】
しかしながら、仮設階段を利用する施工方法においては、仮設階段と本設階段の両方が工場において製造・梱包され、施工現場へ運搬され、次いで、仮設階段が設置されて施工工事において使用され、躯体が施工された後に仮設階段が取り外され、内装工事等において、本設階段が設置されるため、作業効率が悪く、また、部材数も多いという問題点がある。
【０００７】
本発明の課題は、ストリップ階段を有する住宅の施工方法において、施工の簡略化を図ることである。
【課題を解決するための手段】
【０００８】
上記課題を解決するため、例えば、図１〜９に示すように、請求項１記載の発明は、上下階に渡って斜めに設置されるささら桁２と、このささら桁２の長手方向に所定間隔で設けられた複数の段板支持部３と、この段板支持部３に支持された複数の段板４とを備えたストリップ階段１を有する住宅の施工方法において、
外部からの衝撃からささら桁２を保護する保護カバー２４により被覆されたままのささら桁２の上端及び下端を上下階の取付位置に固定する第１の工程と、
保護カバー２４により被覆されたままのささら桁２の段板支持部３へ仮設段板７を取り付ける第２の工程と、
を備えることを特徴としている。
【０００９】
請求項２に記載の発明は、請求項１記載の施工方法において、保護カバー２４は、ささら桁２の段板支持部３を挿通する複数の孔部２４ａを有し、保護カバー２４によりささら桁２を被覆する際、段板支持部３を孔部２４ａに挿通することを特徴としている。
【００１０】
請求項３に記載の発明は、請求項１または２に記載の施工方法における第２の工程後であって、建物躯体の施工工事の終了後に、仮設段板７を取り外し、保護カバー２４を取り外したささら桁２の段板支持部３へ本設段板（段板４）を取り付ける第３の工程を備えることを特徴としている。
【００１１】
請求項４に記載の発明は、請求項３に記載の施工方法における第３の工程後に、段板支持部３へ段板支持部カバー２５を被せる第４の工程を備えることを特徴としている。
【００１２】
請求項５に記載の発明は、請求項１〜４のいずれかに記載の施工方法において、
ささら桁２は、内側桁部材２１と外側桁部材２２とを貼り合わせたものからなり、
最下段の段板支持部３には、内側桁部材２１に設けられ、ささら桁２の上側の傾斜面２ａよりも上方に突出した突出部２１Ｂと、外側桁部材２２に設けられ、傾斜面２ａよりも下方に切り欠かれた切欠部２２Ｅとが形成され、
第１の工程において、切欠部２２Ｅから床面Ａへ垂直にビスを打ち込むことにより、ささら桁２と床とを固定することを特徴としている。
【発明の効果】
【００１３】
請求項１に記載の発明によれば、ささら桁２が保護カバー２４により保護された状態で設置されるので、ささら桁２を傷つけることなく施工現場で利用できることとなって、本設階段のささら桁２を仮設階段のささら桁として利用することができる。
従って、仮設階段のささら桁が要らなくなるので、作業効率が良く、また、部材数を少なくすることができる。
【００１４】
請求項２に記載の発明によれば、請求項１に記載の発明と同様の効果が得られるのは無論のこと、特に、保護カバー２４がささら桁２の段板支持部３を挿通する複数の孔部２４ａを有しているので、段板支持部３へ仮設段板７を容易に取り付けることができる。
【００１５】
請求項３に記載の発明によれば、請求項１または２に記載の発明と同様の効果が得られるのは無論のこと、仮設段板７を取り外し、保護カバー２４を取り外したささら桁２の段板支持部３へ本設段板（段板４）を取り付ける工程を含むので、本設段板（段板４）の施工時における損傷を防ぐことができ、また、仮設段板７は、別の施工工事における仮設階段の仮設段板として使いまわすことができる。
【００１６】
請求項４に記載の発明によれば、請求項３に記載の発明と同様の効果が得られるのは無論のこと、特に、本設段板（段板４）を取り付けた後に、段板支持部３へ段板支持部カバー２５を被せる工程を含むので、施工時にささら桁２の段板支持部３が傷ついても、段板支持部カバー２５を被せることによって傷を隠すことができ、ストリップ階段１の見栄えを良好に保つことができる。
【００１７】
請求項５に記載の発明によれば、請求項１〜４に記載の発明と同様の効果が得られるのは無論のこと、切欠部２２Ｅから垂直に床面Ａへビスを打ち込むことにより、ささら桁２と床とを固定することができるので、最下段の段板支持部３を保護カバー２４から露出させるだけで、ささら桁２を保護カバー２４で被覆したまま容易に床面Ａへ固定することができる。
【発明を実施するための最良の形態】
【００１８】
以下、図面を参照して、本発明に係るストリップ階段１を有する住宅の施工方法の実施の形態を詳細に説明する。
【００１９】
（ストリップ階段の構造）
本実施の形態のストリップ階段１は、図１に示すように、上下階に渡って斜めに仮設されるささら桁２と、このささら桁２に当該ささら桁２の長手方向にそれぞれ所定間隔で設けられた段板支持部３と、これら段板支持部３にそれぞれ支持された複数の段板４（本設段板）とを備えて構成されている。
【００２０】
ささら桁２は、図１に示すように、登り方向に向かって右側および左側の左右２本のささら桁２が用いられ、上側の傾斜面２ａには、複数の段板支持部３が設けられている。
【００２１】
なお、左右２本のささら桁２は、左右勝手違いに形成されているのみで、構成はほぼ同じなので、以下には右側のささら桁２で詳細を説明する。
【００２２】
ささら桁２は、図２に示すように、内側桁部材２１と外側桁部材２２とを貼り合わせた合板を外装部材であるささら桁カバー２３（図５参照）で覆うことにより形成される。
【００２３】
内側桁部材２１は、図２に示すように、それぞれ、本体部２１Ａと、この本体部２１Ａと一体的に形成され、本体部２１Ａから突出した複数の突出部２１Ｂとを含み形成されている。これらの本体部２１Ａおよび突出部２１Ｂは、例えば、所定厚さの合板を、ＮＣ（Numerical Control）制御等により加工する機械加工により一体的に切り出して形成されている。
突出部２１Ｂは、本体部２１Ａの上側の傾斜面２ａから、長手方向に所定の間隔で略三角形状に突出している。
【００２４】
また、内側桁部材２１の上端部には取り付け部２１Ｃが形成され、この取り付け部２１Ｃは、図３に示すように、上階の床に設けられた上受け体５へ取り付けられるようになっている。さらに、内側桁部材２１の下端部には係合溝２１Ｄが形成され、この係合溝２１Ｄは、下階の床に設けられた下受け材６と嵌合可能となっている。このような取り付け部２１Ｃ、係合溝２１Ｄも、本体部２１Ａおよび突出部２１Ｂを作る際に、ＮＣ加工等の機械加工により一体的に切り出して形成されている。
【００２５】
また、外側桁部材２２は、内側桁部材２１とほぼ同じような形状となっており、図２に示すように、本体部２２Ａ、突出部２２Ｂ、取り付け部２２Ｃ、および係合溝２２Ｄを有するとともに、それらの各部が、内側桁部材２１と同じようにＮＣ加工等の機械加工により一体的に切り出して形成されている。
【００２６】
そして、これらの内側桁部材２１と外側桁部材２２とを貼り合わせたとき、突出部２１Ｂの上面が突出部２２Ｂの上面よりも高くなっており、突出部２１Ｂと突出部２２Ｂが一体となることにより、段板支持部３が形成される。
【００２７】
図２に示すように、突出部２１Ｂと突出部２２Ｂの上面は、ささら桁２を建物躯体に取り付けた際に、水平になるように形成されている。また、段板支持部３は、突出部２１Ｂと突出部２２Ｂの上面の高さの差により形成される溝３１を備えている。
【００２８】
なお、本実施の形態では、突出部２１Ｂの上面が２２Ｂの上面より高い場合を示したが、突出部２１Ｂの上面が突出部２２Ｂの上面より低い場合であってもよい。
【００２９】
また、内側桁部材２１と外側桁部材２２とを貼り合わせたとき、取り付け部２１Ｃと取り付け部２２Ｃが一体となることにより、図３に示す、上階の床に設けられた上受け体５の被嵌合部５ａに嵌まり合う嵌合部２ｂが形成される。また、係合溝２１Ｄと係合溝２２Ｄが一体となることにより、図３に示す、下階部分のささら桁位置決め用の下受け材６を収容可能にする凹部２ｃが形成される。
【００３０】
下受け材６は、図３に示すように、下階床面Ａ上の、ささら桁２が設置されるべき位置にあらかじめ設けられている。
【００３１】
また、最下段の段板支持部３は、内側桁部材２１の突出部２１Ｂのみから形成され、外側桁部材２２の最下段の突出部２２Ｂに相当する部分には、傾斜面２ａから下方に切り欠かれた切欠部２２Ｅが設けられている。従って、図４に示すように、外側桁部材２２の切欠部２２Ｅから下受け材６へ垂直にビスを打ち込むことによって固定することができるように設計されている。
【００３２】
ささら桁カバー２３は、例えば、図５（ａ）に示すような展開構造により形成されており、ささら桁カバー２３の表面には、段板支持部３を挿通可能とする複数の孔部２３ａが設けられている。ささら桁カバー２３は、合成樹脂製で、例えばオレフィン製シートを合板に接着して形成された複合合板であるWs（木質シリーズ）オレフィン合板で形成されている。また、図５（ｂ）に示すように、ささら桁カバー２３の折り部２３Ｄには、折り線２３Ｍを挟んで両側に、折り部２３Ｄに所定の厚さを残して厚さ方向の一方側から他方側に向かってα°、例えば４５°の角度でカットしたＶカット部２３Ｋが形成されている。そのため、ささら桁カバー２３を折り曲げたとき、折り線２３Ｍを挟んだ両側の切欠部２３Ｋが接触し合い、これにより、ささら桁カバー２３に多少の厚み２３ｔがあっても、容易に、かつ正確に折り曲げることができる。
【００３３】
ささら桁カバー２３を折り部２３Ｄにおいて折り曲げると、図６（ａ）に示す形状となる。ささら桁カバー２３の孔部２３ａにささら桁２の段板支持部３を挿通させて、継ぎ目２３ｂと継ぎ目２３ｃを合わせると、内側桁部材２１と外側桁部材２２からなる合板が被覆される。また、図６（ｂ）に示す図８のＡ−Ａ断面図に示すように、ささら桁２を覆ったときの継ぎ目２３ｂ、２３ｃが、左右のささら桁２の間に向けられて見えない構成となっている。
【００３４】
さらに、各段板支持部３、および各段板４などの可視部分すべてにも、ＷSオレフィン合板で形成された外装部材である段板支持部カバー２５が被せられるようになっている。
【００３５】
段板支持部カバー２５は、例えば、図８に示すように、ささら桁２と段板４との間の見える部分に対して被せることができるように形成されている。
【００３６】
また、ささら桁２は、外部からの衝撃からささら桁２を保護する保護カバー２４によって被覆されて、工場から運ばれ、保護カバー２４で被覆されたままの状態で設置され、養生される。
【００３７】
保護カバー２４は、例えば、図７（ａ）に示すような展開構造により形成されており、図７（ｂ）に示す図９のＢ−Ｂ断面図に示すように、ささら桁２を覆うように構成されている。この保護カバー２４は、ダンボール、エアシート、ゴムやウレタン等の弾性素材、発泡スチロール等の発泡性素材等の緩衝材等から形成されている。
この保護カバー２４の表面には、段板支持部３を挿通可能とする複数の孔部２４ａが設けられている。
【００３８】
なお、保護カバー２４がある程度硬い材質で形成されている場合には、図７（ｃ）に示すように、保護カバー２４の折り部２４Ｄに、折り線２４Ｍを挟んで両側に、折り部２４Ｄに所定の厚さを残して厚さ方向の一方側から他方側に向かってα°、例えば４５°の角度でカットしたＶカット部２４Ｋが形成される構成を備えてもよい。このような構成をとることによって、保護カバー２４を折り曲げたとき、折り線２４Ｍを挟んだ両側の切欠部２４Ｋが接触し合い、これにより、保護カバー２４に多少の厚みｔとある程度の硬さがあっても、容易にかつ正確に、保護カバー２４を折り曲げることができる。保護カバー２４は、ささら桁カバー２３と同様にして、ささら桁２を被覆する。
【００３９】
また、図７（ａ）に示すように、保護カバー２４には、のりしろ部２４ｂがあり、のりしろ部２４ｂを他の保護カバー２４と重ね合わせることにより、保護カバー２４の長さをささら桁２の長さに合わせて延長することができる。
【００４０】
段板４は、図８に示すように、ささら桁２側の下面中央部に、段板切欠部４１が二つ設けられている。段板４がささら桁２に取り付けられた状態では、各段板切欠部４１はささら桁２と係合される。
【００４１】
段板切欠部４１の上面４１ａは、建物躯体に取り付けられるささら桁２の傾斜面２ａと同様に傾斜しており、上面４１ａは段板切欠部４１がささら桁２に係合した状態で、ささら桁２の傾斜面２ａに当接するように設けられている。
【００４２】
段板切欠部４１の両側面４１ｂ間の長さは、ささら桁２の幅に等しく、段板切欠部４１がささら桁２と係合された状態で、段板切欠部４１の両側面４１ｂがささら桁２の側面に当接するように設けられている。
【００４３】
さらに、段板切欠部４１よりも段板４の幅方向内側の下面には、段板４の前後方向に長い、ほぼ直方体形状の取り付け部材４２が設けられている。取り付け部材４２の幅は、突出部２１Ｂと突出部２２Ｂの上面の高さの差により生まれる溝３１の幅とほぼ等しく、取り付け部材４２は溝３１と係合される。前後方向に長い溝３１に前後方向に長い取り付け部材４２が係合されることで、段板４のささら桁２に対する横方向の位置及び角度が決められる。
【００４４】
なお、取り付け部材４２の長さや高さは、溝３１と同程度であることが好ましい。取り付け部材４２の長さや高さが溝３１と同程度であると、段板４をささら桁２に取り付けた後に残るすき間が少なく、接触面積が大きくなる。このため、段板４とささら桁２との固定に接着剤を使用する場合には、接着面積を大きく取ることができる。また、取り付け部材４２の位置は、段板支持部３の溝３１の位置に合わせて設定されている。
【００４５】
そして、段板４もまた、ＮＣ制御されたフライス等を利用して、取り付け部材４２と一体に成形することができる。この取り付け部材４２は木ビス等で段板４に取り付けてもよい。
【００４６】
なお、段板４は、図面において直方体形状に記載されているが、平板状であれば、円形や楕円形など、任意の形状とすることができる。
【００４７】
（仮設段板について）
仮設段板７は、例えば、直方体形状の平板であり、例えば、図９に示すように、仮設段板７をささら桁２の段板支持部３へビスなどにより取り付けられる。
なお、仮設段板７の板幅は、ストリップ階段１に対して最近傍の壁面Ｂ（図１参照）と仮設段板７の端部との隙間が広くなるように、段板４の板幅よりも幅方向中央寄りに短い寸法で構成されても良い。
【００４８】
（施工方法）
次に、上記のような構成のストリップ階段１を有する住宅の施工方法について説明する。
【００４９】
まず、工場において、ささら桁２を、保護カバー２４により被覆する（被覆工程）。この被覆工程において、保護カバー２４に設けられた孔部２４ａに段板支持部３を挿通する。
次いで、保護カバー２４が被覆された状態のささら桁２を、図３に示すように建物躯体に取り付ける（第１の工程）。
【００５０】
第１の工程は、具体的には、ささら桁２の上端は、嵌合部２ｂを、上階に設けられた上受け体５の被嵌合部５ａに嵌合させて固定する。嵌合部２ｂの被嵌合部５ａへの固定は、例えば、図３に示すように、両者を嵌め合わせた後、ボルト等で固定する。
【００５１】
一方、ささら桁２の下端は、凹部２ｃを、下階の床面Ａにあらかじめ設置された下受け材６に嵌め合わせて固定する。
より具体的には、例えば、図４に示すように、最下段の段板支持部３に位置する外側桁部材２２と下受け材６を複数のビスによって固定することにより、ささら桁２を床面Ａへ固定する。
【００５２】
次に、例えば、図９に示すように、仮設段板７をささら桁２の段板支持部３へビスなどにより取り付ける（第２の工程）。このようにして、上述の仮設段板７と保護カバー２４により被覆されたままのささら桁２を備えた仮設階段を設置する。
【００５３】
次に、各種施工工事の終了後、内装工事において、この仮設段板７をささら桁２から取り外し、保護カバー２４をささら桁２から取り外し、段板支持部３に段板４を取り付ける（第３の工程）。この仮設段板７は、別の施工工事における仮設階段の仮設段板７として使い回すことができる。
【００５４】
第３の工程における段板支持部３への段板４の取り付けは、具体的には、まず、図８に示すように、ささら桁２の段板支持部３の溝３１に、取り付け部材４２を係合させる。すると段板４のささら桁２に対する横方向の位置及び角度が決まるとともに、段板４の下面と段板支持部３の上面とが当接して上下位置が決まるので、前後方向にのみ移動自在となる。
次に、段板４の上面４１ａをささら桁２の傾斜面２ａと当接させると、段板４のささら桁２に対する前後位置が決まる。
【００５５】
段板４の位置が決まったら、ささら桁２と段板４とをビス等で固定する。なお、固定をする際に、接着剤を併用してもよい。残りの段板４についても同様にしてささら桁２に固定する。
【００５６】
最後に、段板支持部カバー２５を段板支持部３に取り付ける（第４の工程）。
【００５７】
本実施の形態にかかるストリップ階段１を有する住宅の施工方法によれば、ささら桁２が保護カバー２４により保護された状態で設置されるので、ささら桁２を傷つけることなく施工現場で利用できることとなって、本設階段のささら桁２を仮設階段のささら桁として利用することができる。
従って、仮設階段のささら桁が要らなくなるので、作業効率が良く、また、部材数を少なくすることができる。
また、仮設段板７の板幅を段板４の板幅よりも幅方向中央寄りに短い寸法で構成すると、ストリップ階段１に対して最近傍の壁面Ｂ（図１参照）と仮設段板７の端部との隙間が広くなるため、仮設段板７をささら桁２から取り外さなくても、壁面Ｂへの耐火性の石膏ボードや壁紙の貼り付けが容易に行えるようになる。
【００５８】
また、保護カバー２４がささら桁２の段板支持部３を挿通する複数の孔部２４ａを有しているので、段板支持部３へ仮設段板７を容易に取り付けることができる。
【００５９】
また、建物躯体の施工工事の終了後の内装工事等において、仮設段板７を取り外し、保護カバー２４を取り外し、ささら桁２の段板支持部３へ段板４を取り付けるので、段板４の施工時における損傷を防ぐことができ、また、仮設段板７は、別の施工工事における仮設階段の仮設段板として使いまわすことができる。
【００６０】
また、段板４を取り付けた後、段板支持部３へ段板支持部カバー２５を被せるので、施工時にささら桁２の段板支持部３が傷ついても、段板支持部カバー２５を被せることによって傷を隠すことができ、ストリップ階段１の見栄えを良好に保つことができる。
【００６１】
また、切欠部２２Ｅから垂直に床面Ａへビスを打ち込むことにより、ささら桁２と床とを固定することができるので、最下段の段板支持部３を保護カバー２４から露出させるだけで、ささら桁２を保護カバー２４で被覆したまま容易に床面Ａへ固定することができる。
【００６２】
なお、本実施の形態では、工場においてささら桁２が保護カバー２４に被覆される場合を示したが、施工現場においてささら桁２に保護カバー２４を被覆しても良い。
また、保護カバー２４に孔部２４ａが設けられていなくてもよい。その場合には、例えば、段板支持部３の部分の保護カバー２４をくり貫いて仮設段板７を取り付けても良い。
また、保護カバー２４の上から仮設段板７を取り付けても良い。この場合、段板支持部３が傷つかないため、段板支持部カバー２５が要らなくなる。
【図面の簡単な説明】
【００６３】
【図１】本発明に係るストリップ階段設置後の居室内要部の斜視図である。
【図２】ささら桁を構成する内側桁部材と外側桁部材を示す斜視図である。
【図３】本発明に係るストリップ階段設置後の側面図である。
【図４】ささら桁の床面への取り付け工程を説明するための分解斜視図である。
【図５】ささら桁カバーの展開図（ａ）、ささら桁カバーの折り部を示す断面図（ｂ）である。
【図６】ささら桁カバーのささら桁への取り付け工程を説明するための分解斜視図（ａ）、図８のＡ−Ａ断面図（ｂ）である。
【図７】保護カバーの展開図（ａ）、図９のＢ−Ｂ断面図（ｂ）、保護カバーの折り部を示す断面図（ｃ）である。
【図８】段板のささら桁への取り付け工程を説明するための分解斜視図である。
【図９】仮設段板のささら桁への取り付け工程を説明するための分解斜視図である。
【符号の説明】
【００６４】
１  ストリップ階段
２  ささら桁
２ａ  傾斜面
２１  内側桁部材
２１Ａ  本体部
２１Ｂ  突出部
２２  外側桁部材
２２Ｅ  切欠部
２３  ささら桁カバー
２４  保護カバー
２４ａ  孔部
２５  段板支持部カバー
３  段板支持部
４  段板（本設段板）
７  仮設段板
Ａ  床面
Ｂ  壁面
【図１】
2006009360.tif 000003
【図２】
2006009360.tif 000004
【図３】
2006009360.tif 000005
【図４】
2006009360.tif 000006
【図５】
2006009360.tif 000007
【図６】
2006009360.tif 000008
【図７】
2006009360.tif 000009
【図８】
2006009360.tif 000010
【図９】
2006009360.tif 000011